(57)【要約】【課題】  本発明は、ベースとなる厚紙に薄紙を貼って、一品一品手作りに近い方法で作られる貼箱というとう特徴を生かし、中に物を入れるパッケージとしての役割の箱ではなく、貼箱そのものに価値を持たせようというものである。【解決手段】  表現しようとする対象の平面画像を箱の平面に、平面画像と同程度の縮尺の同一対象の立面画像をベースの箱の立面に貼りつけたことを特徴とする貼箱である。画像とは写真やイラストなど視覚的に対象を表し印刷などの手段で、薄い紙に表現したものをいう。  対象とは、住宅・店舗・町家などの建築物、橋・庭・公園・都市などの建造物および自然造形物、乗り物・家具・雑貨または人物・動植物などの立体物を言う。【選択図】図１
2018070208.tif 000002
【特許請求の範囲】
【請求項１】
表現しようとする対象の平面画像を箱の平面に、平面画像と同程度の縮尺の同一対象の立面画像を箱の立面に貼りつけたことを特徴とする貼箱。
【請求項２】
箱本体とヒンジでつながるフタがあり、そのフタに平面画像または立面画像、または平面画像と立面画像の両方を貼りつけたことを特徴とする、請求項１に記載の貼箱。
【発明の詳細な説明】
【技術分野】
【０００１】
本発明は、主に厚紙でできた箱をベースに、その表面に薄紙を貼って作る貼箱に関するものである。貼箱は紙箱と呼ばれることもある。
【背景技術】
【０００２】
従来、貼箱には、箱の形や大きさには関係のない図柄の布や紙が貼られていることが多い。この場合、貼られている薄紙の材質や図柄に箱の価値が左右されることが多い。
また、箱の中に入れる、例えば和菓子などの写真やイラストを印刷した紙などが貼られていることも多い。この場合、箱の役割は中身の説明やアピールと保護であって、基本的にはパッケージに過ぎない。
また、家の形をした箱や、パッケージは多種あるが、貼箱では見かけ無い。
【０００３】
貼箱は、ボール紙で一体に作られた組み立て式パッケージと違い、ベースとなる厚紙に色のついた薄紙や柄を印刷した薄紙などが、一品一品貼りつけられ作られるため、その作製には手間がかかり、その結果として、単価も高額である。
しかし、一品一品作られるということが、一品生産や、少量多品種生産、短納期生産に向いていると言える。
【０００４】
先行特許文献には、記載すべきものは見当たらなかった。
非特許文献では、関連するものも多数あったが、その中の一部について記載する。
非特許文献１、非特許文献２は、貼箱ではなく、箱の構造材であるボール紙に直接画像を印刷し、組み立てたものである。
非特許文献３は、箱の形をした手提げバッグであり、貼箱ではい。バッグ表面の画像は、薄い紙を貼りつけたものではないとみられる。
非特許文献４は、弁当箱であり、貼箱ではい。弁当箱の表面の画像は、樹脂の箱に何らかの方法で直接印刷しているとみられる。
非特許文献５は、非特許文献１、非特許文献２と同様、箱の構造材であるボール紙に直接画像を印刷し、組み立てたものであるとみられる。屋根の勾配は1/2（高さ方向1に対し水平方向2）以上とみられる。
【先行技術文献】
【非特許文献】
【０００５】
【非特許文献１】株式会社  丸信、ホームページ、［平成28年１０月２３日検索］、インターネット＜URL:http://www.order-box.net/product/1210-2/＞
【非特許文献２】朝日新聞  DIGITAL、ホームページ、［平成28年１０月２３日検索］、インターネット＜URL:http://www.asahi.com/articles/photo/AS20160607003706.html＞
【非特許文献３】LINE株式会社、ショッピングサイト、［平成28年１０月２３日検索］、インターネット＜URL:http://matome.naver.jp/odai/2144591239600758201/2144591843812558703＞
【非特許文献４】楽天、ショッピングサイト、［平成28年１０月２３日検索］、インターネット＜URL:http://item.rakuten.co.jp/colorfulbox/4964026500578/＞
【非特許文献５】Alibaba.com、ショッピングサイト、［平成28年１０月２３日検索］、インターネット＜URL:https://spanish.alibaba.com/p-detail/Papel-personalizada-Navidad-caja-de-regalo-caja-de-embalaje-en-forma-de-caramelo-casa-300000337901.html＞
【発明の概要】
【発明が解決しようとする課題】
【０００６】
本発明は、表現しようとする対象の平面画像を箱の平面に、平面画像と同程度の縮尺の同一対象の立面画像を箱の立面に貼りつけることで、箱を入れ物、あるいはパッケージとしてではなく、箱自体に新たな価値を与えようとする貼箱である。
言い換えれば、対象が、本発明の箱によって新たな表現手段を与えられるものである。対象は、空間あるいは立体物、または立体的なイメージであって、箱の中に入れるものという意味ではない。ただし、箱の中に入れるものが対象となる場合もある。
【０００７】
従来、貼箱の表面には、箱の形や大きさには関係のない図柄の紙や布などの「貼り紙」が貼られていることが多く、それらの貼り紙で箱自体に何らかの意味を持たすことは難しかった。
また箱は、箱の中に入れる物、例えば和菓子などの写真やイラストを印刷した紙などが貼られていることで、箱の中身はわかるが、箱自体に特別な意味を持たせたのではなく、あくまでもその主たる役割は、中身を宣伝し保護するパッケージとしての箱であった。
また、家の形をした箱や、パッケージは多種あるが、やはり箱の中に物を入れる入れ物、あるいはパッケージとしての箱である。なお、家の形をした箱自体が商品として売られているものはあるが、貼箱ではない。
【０００８】
本発明は、ベースとなる厚紙に薄紙を貼って、一品一品手作りに近い方法で作られる、貼箱というとう特徴を生かし、中に物を入れるパッケージとしての役割の箱ではなく、貼箱そのものに価値を持たせようというものである。
【課題を解決するための手段】
【０００９】
本発明は、表現しようとする対象の平面画像を箱の平面に、平面画像と同程度の縮尺の同一対象の立面画像をベースの箱の立面に貼りつけたことを特徴とする貼箱である。
なお、ここで画像とは写真やイラストなど視覚的に対象を表し印刷などの手段で、薄紙に表現したものをいう。
また、平面とは、箱のフタの場合や、箱の底の場合がある。また、平面とは立面に対する平面をいい、必ずしも水平な平らな面を意味しない。本発明で平面とは、山形の屋根形状で勾配が1/2以下のものや、天井、床、地面などを表したものも含む。屋根勾配が1/2以上になると平面画像を貼りつけにくくなり、また一般に平面と認識しにくくなる。
なお、立面は箱の内側の立面も含む。
【００１０】
本発明は、またあるいは、箱本体とヒンジでつながるフタがあり、そのフタに画像の一つを貼りつけたことを特徴とするものである。画像の一つとは、平面画像または、立面画像の一つで、フタが箱の平面であるときは、フタに平面画像を、箱本体に立面画像を、またフタが箱の立面となっているときは、フタに立面画像を、箱本体に平面画像を貼りつけることになる。
【００１１】
貼箱で表現しようとする対象と、その表現する手法についてより詳しく説明する。
・空間対象１：  住宅・店舗・町家などの建築物
建築物の立面外観の画像を、箱の外周の立面に、屋根がある建築物は屋根を、屋根がない建築物は、その建築の間取りや平面的なレイアウト図などの画像を箱の平面に貼りつける。ビルなどの一角で、入口のある１面しか外観がない建築物を対象とする場合は、入口のある立面外観を、四角い箱の外周の１立面に、残りの３立面には画像を貼りつけないなどの方法で、対応する。
・空間対象２：  橋・湾口・ダム・庭・公園・道路・駐車場・街・都市などの建造物、および木・森・山・川・谷・平地・湖・湾・島・半島など自然造形物
一般的にその対象を普通に見る方向から捉えた画像を、箱の外周の立面に、その対象の鳥瞰画像を、を箱のフタ、または底面に貼りつける。
なお、「建築物」とは、屋根または天井と壁または柱を有し、何らかの用途のある空間を、「建造物」は、人力で建造または工作された構造体で、建造物の中に建築物も含まれる。
【００１２】
・物的対象１：  立体物
乗り物・家具・文具・工具・キッチン用品・食品・雑貨など実存する立体物で、その対象を普通に置き横から見える画像を、箱の外周の立面に、上から見える画像を箱のフタ、または底面の平面に貼りつける。
・物的対象２：  人物、動植物
人物や動物を横から捉えた画像を箱の外周の立面に、上から捉えた画像を箱のフタ、または底面の平面に貼りつける。
【００１３】
イメージ対象：  空間や立体物を想定したもの
想定したイメージの横方向からの画像を、箱の外周の立面に、上方向からの画像を箱のフタ、または底面の平面に貼りつける。
イメージ対象とは、実際にある空間、物あるいは形ではなく、想像で作り上げた空間や立体物である。
【００１４】
なお、「同程度の縮尺」とは、箱の立面に貼られた画像と、箱の平面に貼られた画像が同一対象のものであることが、容易に認識できる程度に大きさを調整してあるという意味である。立面に貼られた画像と、箱の平面に貼られた画像の拡大縮小率の差は、概ね30％以内である。
ただし、空間対象においては、平面画像に対象の周辺も含めることがあるため、拡大縮小率の差が30％を大きく超えることがある。
【００１５】
貼箱の全体形状は、底面に対し立面がほぼ直角に立ち上がった形で、水平垂直、縦横が明確な直方体が最もふさわしいが、角柱や円柱なども可能である。
【００１６】
貼箱は、主に紙製であるが、「ベース」は紙に限らず、ある程度の強度を持つ板状のものであれば、樹脂や樹脂複合材・木材・金属・セラミックス・ガラスなどでできていてもよい。
また「薄紙」は簡単に折り曲げることができ、ベースに貼ることができるものであれば、紙に限らず、樹脂紙や樹脂フィルム、布、革、樹皮、金属箔などでできたものでもよい。
【００１７】
直方体の箱、すなわち四角い箱の立面画像は、最低１面を必要とし、２面、３面、４面とあってもよい。また、平面画像も、最低1面を必要とするが、フタの上面、下面（箱の上にフタがある場合、箱の内側の上面）、箱の中の底面、箱の裏側底面と４面あってもよい。
印刷などで立面画像と平面画像などを表現する薄紙は、立面や平面の２面以上を一体に作り、ベースに貼る段階で、それぞれの面に貼りつけてもよい。
【００１８】
本発明の貼箱には、平面と立面の両方が必要であるが、フタは必ずしも必要ではない。
本体と分離されるかぶせのフタの場合、フタの立面と天面に、立面画像と平面画像があってもよいし、フタには立面画像も平面画像もなくてもよい。
箱本体に、立面画像を、フタに平面画像を貼りつける場合、フタを紛失しないよう、また手軽に開け閉めできるよう、ヒンジ式のフタにするとよい。ヒンジ式は、片ヒンジ、両ヒンジなどがある。
なお、貼箱でフタのヒンジは、本体のベースの直線端部とフタのベースの直線端部の隙間を1〜2ｍｍとった状態で、そのベースの表と裏の両面から薄紙で貼つなげて作り、そのヒンジ部を中心にフタが回動できるようにしたものである。
【００１９】
建築物を対象とした本発明の場合、箱の内側の立面に建築物の内側の立面画像を、フタの裏側に建築物の天井の平面画像を貼り付けると、箱がより対象として明確になる。
また、立体物を対象とした場合は、箱の底の平面画像とフタの上の平面画像を画像を、関連性を持たせながら違った画像にすることで、対象をより印象的に表現するができる。
【発明の効果】
【００２０】
本発明は、このような構造・仕様であるため、物を入れるための箱という機能から、箱そのものに価値を与えることができ、中身のない箱だけを一般の消費者に販売する商品とすることができる。
また、箱を構成するボール紙に直接印刷し組み立てたパッケージと異なり、画像は薄紙に印刷などで表現されたものであるから、貼りつける薄紙を変えることで、一点一点別デザインの貼箱とすることが極めて容易である。従って、本発明は、一品生産や少量生産で取引することも現実的である。
【図面の簡単な説明】
【００２１】
【図１】家形屋根付き建築物を表した貼箱の説明図（実施例1）
【図２】家形屋根付き建築物を表した貼箱に貼る薄紙の画像
【図３】家形屋根付き建築物を表した貼箱のベースの図
【図４】家形屋根付き建築物を表した貼箱の、フタである屋根の出の説明図（実施例2）
【図５】家形屋根付き建築物を表した貼箱の、フタである屋根の軒の出とヒンジ位置を示す図
【図６】家形屋根付き建築物を表した貼箱の、片ヒンジで軒が出ているフタのの開き方の図
【図７】家形屋根付き建築物を表した貼箱の、フタである屋根のケラバの出を示した図
【図８】ケラバの出の違う家形屋根付き建築物2点を表した貼箱の説明図（実施例3）
【図９】家形屋根付き建築物を表した貼箱の片ヒンジフタの開き方の図（実施例4、実施例5）
【図１０】山形屋根付き建築物を表した両フタ中央ヒンジの貼箱の開き方の図（実施例6）
【図１１】家形屋根付き建築物を表した両フタ外側ヒンジの貼箱の開き方の図（実施例7）
【図１２】片ヒンジフタの貼箱の説明図（実施例8）
【図１３】片ヒンジフタの貼箱のベースの図
【図１４】片ヒンジフタの貼箱のフタを開けた図
【図１５】片ヒンジフタの貼箱のフタの説明図（実施例9、実施例10）
【図１６】箱の側面に片ヒンジフタがあるの貼箱の説明図（実施例11）
【図１７】本体から分離する被せフタがあるの貼箱（実施例12）
【図１８】本体から分離する被せフタがあるの貼箱（実施例13）
【図１９】庭の画像を貼った貼箱の説明図（実施例14）
【図２０】茶摘みの画像を貼った貼箱の薄紙の画像（実施例15）
【図２１】富士山の画像を貼った貼箱の薄紙の画像（実施例16）
【図２２】部屋の中の画像を貼った貼箱の薄紙の画像（実施例17）
【図２３】クラゲの画像を貼った貼箱の薄紙の画像（実施例18）
【図２４】箱の内側にも画像を貼った貼箱の説明図（実施例19）
【図２５】箱の内側にも画像を貼る貼箱の薄紙の画像
【図２６】街路の画像を貼った貼箱の説明図（実施例20）
【図２７】街路の画像を貼る貼箱の薄紙の画像
【図２８】果物の画像を貼った貼箱の説明図（実施例21）
【図２９】雨の画像を貼った貼箱の薄紙の画像（実施例22）
【図３０】ハートの画像を貼った貼箱の薄紙の画像（実施例23）
【発明を実施するための形態】
【００２２】
貼箱を包装容器（パッケージ）としてではなく、貼箱そのものに価値を持たせるため、価値の対象で表現しようとする空間や立体の平面画像と立面画像を貼箱の、それぞれ平面と立面に貼りつけることで実現した。
【実施例】
【００２３】
図１は、本発明貼箱の実施例1の斜視図を示す。貼箱1で表現される対象は山形の屋根を持つ町家である。図３に示すベースとなる厚紙のフタ3に図２の町家の屋根の平面画像3-1ｇを印刷した薄紙5が、ベース本体4に貼箱本体外側の正面の立面の画像の2-12ｇ、貼箱本体外側の側面の立面の画像の2-13ｇを印刷した薄紙5が貼られている。なお、フタ3のみ厚紙ベース4の厚みを表現している。
平面画像3-1ｇと、立面画像の2-12ｇ、2-13ｇはほぼ同じ縮尺であり、貼箱が町家の模型のように見える。
これは、貼箱が空間対象1の町家の建造物として表現されたということであり、町家のミニュチュアとしての価値を得たことになる。
【００２４】
図4は実施例２で、切妻の家の形をした本発明の、フタである屋根についての説明図である。屋根の軒先3-51と、ケラバ3-52は、貼箱本体2の立面2-11よりはみ出ており、フタ３が貼箱本体２の中に入り込まないようにしていると同時に、家の形をより忠実に表し、対象にリアリティを与えている。
【００２５】
図5は、家型の貼箱のフタのヒンジ部3-3と軒先3-51を示す。この構造の場合、図6に示すように、家形の貼箱のフタ3-5の開き方は、ヒンジ部3-3のあるフタ部の軒先3-51が貼箱本体外側の立面2-11に触れるまでである。
【００２６】
図7は、家型の貼箱のフタのケラバ3-52の出の違いを示す図である。 fig.Aは、ケラバ3-52が、貼箱本体外側の側面の立面2-13から飛び出ているところを示す。fig.Ｂは、ケラバ3-52が、貼箱本体外側の側面の立面2-13と同じ位置にあり、貼箱本体2の平面形状内に収まっていることを示す。
fig.Aに示す貼箱は、同じ形状のものを、図示方向で左右に並べた場合、ケラバ3-52が当たり、貼箱本体外側の側面の立面2-13と隣に位置する貼箱本体外側の側面の立面2-13との間に隙間ができる。
fig.Bに示す貼箱は、同じ形状のものを、図示方向で左右に並べた場合、貼箱本体外側の側面の立面2-13と隣に位置する貼箱本体外側の側面の立面2-13とを接させることができる。
【００２７】
図8に実施例3を示す。図7に示すfig.Aの家形の貼箱と、fig.Bの家形の貼箱を、貼箱本体外側の側面の立面2-13をくっ付け、並べたものである。ただし、fig.Ａの家形の貼箱の貼箱本体2-3は、fig.Bの家形の貼箱の貼箱本体2-3より少し高くしてあるため、fig.Aの家形の貼箱のフタのケラバ3-52が、fig.Bの家形の貼箱に当たることはない。
これにより、家形の貼箱本体2-3をくっ付けて、家形の貼箱を並べることができる。fig.Aの家形の貼箱とfig.Bの家形の貼箱とを交互に並べることで、多数の家形の貼箱を並べることができ、それで街並みを作ることができる。
【００２８】
図9は、家形屋根付き建築物を表した貼箱の片ヒンジのフタを開いたところの図で、fig.Aに実施例4を示す。これは家形の貼箱のフタ3-5の補強3-4を、家形の貼箱のフタ3-5に接着し補強したものである。これにより、家形の貼箱のフタ3-5の屋根の形が固定されると同時に、家形の貼箱のフタ3-5の強度アップが図れる。また、家形の貼箱のフタ3-5が貼箱本体2の中に入り込まないように、また納まりよく家形の貼箱のフタ3-5が閉まるようにするガイドの役目も果たす。
ig.Ｂに実施例5を示す。figＡに示すものと同様、家形の貼箱のフタ3-5の屋根の形が固定と、強度アップ目的で、家形の貼箱のフタ3-5が貼箱本体2の中に入り込まないように、また納まりよく家形の貼箱のフタ3-5が閉まるようにするガイドの役目も果たす。
家形の貼箱のフタ3-5は、フタの厚紙ベース4の屋根形の棟に当たる部分をVカットし、そのVカット面を接着することで、屋根形にすることもできるが、実施例4、実施例5のような補強を使うことで、より強く、また納まりよく家形の貼箱のフタ3-5が閉まるようにできる。
【００２９】
図10に実施例6を示す。家形屋根付き建築物を表した貼箱で、箱の中央に貼箱本体の内側の立面2-14があり、そこに貼箱のフタのヒンジ部3-3があり、家形の貼箱のフタ3-5が2つ付けられている。フタを閉めると、家の形になる。箱の収納部は2つである。
【００３０】
図11に実施例7を示す。家形屋根付き建築物を表した貼箱で、貼箱本体外側の正面の立面2-12と、その面に対面する、貼箱本体外側の背面の立面に、貼箱のフタのヒンジ部3-3があり、家形の貼箱のフタ3-5がそれぞれ付けられている。フタを閉めると、家の形になる。
【００３１】
図12fig.Aに、本発明貼箱の実施例8の斜視図を示す。貼箱1で表現しようとする対象はビルの一角のお店である。図1３に示すベースとなる厚紙のフタ3に、fig.Bのお店の店内のレイアウト図である平面画像3-1ｇを印刷した薄紙5が、ベース本体4にfig.Cのお店の外観の立面画像2-11ｇを印刷した薄紙5が貼られている。
図14に示すように実施例8は、ヒンジ式のフタを持った貼箱1-1で、ヒンジ部3-3についているフタ3は1つである。なお、フタ3のみ厚紙ベース4の厚みを表現している。
図12のお店は、空間対象1の建築物であるが、屋根がないためお店のレイアウト図を平面画像3-1ｇとしている。これにより、貼箱はお店の立体案内ツールとしての新たな価値を与えられた。
【００３２】
図15のfig.Aに示す貼箱1は実施例9で、図14に示すヒンジ式のフタを持った貼箱1-1のフタ3の強度を増すと同時に、貼箱のフタ3が納まりよく閉まるようにされたものである。貼箱のフタの補強3-4は、四角い箱であってもよいし、厚紙を重ねて作られていてもよい。
図15のfig.Bに示す貼箱1は実施例10で、図14に示すヒンジ式のフタを持った貼箱1-1のフタ3の強度を増すと同時に、貼箱のフタ3が納まりよく閉まるようにされたものである。貼箱のフタの補強3-4は、中空の四角柱を短く切った形である。
【００３３】
図16は実施例11のヒンジ式のフタを持った貼箱1-1で、貼箱のフタ3が、貼箱本体2の側面に貼箱のフタのヒンジ部3-3でつけられている。図12の実施例8を、貼箱本体の外側の立面2-11の図12fig.Cの対面に当たる立面が下になるよう、90°回転させたものと、同じ構造である。
【００３４】
図17に実施例12を示す。これは貼箱本体2と分離するフタを持った貼箱1-2で、フタの上面、すなわち貼箱のフタの平面3-1に、貼箱のフタの平面の画像3-1ｇが印刷された薄紙が貼られ、貼箱本体の外側の立面2-11には、貼箱本体の外側の立面の画像2-11ｇが印刷された薄紙が貼られる。
【００３５】
図18に実施例13を示す。これは貼箱本体2と分離するフタを持った貼箱1-2である。貼箱本体をほぼ覆う大きさの分離型フタ3-61の平面3-62に、貼箱のフタの平面の画像3-1ｇが印刷された薄紙が貼られ、分離型の貼箱のフタの立面3-63には、貼箱本体の外側の立面の画像2-11ｇと同じものが印刷された薄紙が貼られる。
【００３６】
図19に実施例14を示す。図12に示すヒンジ式のフタを持った貼箱1-1と同じ構造である。表現されているものは、空間対象2の庭で、貼箱本体の外側の立面2-11には、人が普通に庭を眺める方向からの画像が貼られ、貼箱のフタの平面3-1には、庭を上から見たときの画像が貼られている。
これにより、貼箱1が庭であるかのように見えたり、あるいは貼箱1の中に庭があるように見られる。
【００３７】
図20に実施例15を示す。貼箱本体の外側の立面の画像2-11ｇは、茶摘みの風景画像である。貼箱のフタの平面の画像3-1ｇは同じ茶摘みを上から見た画像である。表現される対象は物的対象2の人物で、貼箱に茶摘みの強いイメージが付与されている。これにより、貼箱1に入っているものが茶摘みに関係あると想起させることができる。
【００３８】
図21に実施例16を示す。貼箱本体の外側の立面の画像2-11ｇは、富士山の画像である。貼箱のフタの平面の画像3-1ｇは富士山を上から見た画像である。表現される対象は空間対象2の自然造形物である。
【００３９】
図22に実施例17を示す。貼箱本体の外側の立面の画像2-11ｇは、部屋の中を人が普通に見る視点から見たときの画像である。貼箱のフタの平面の画像3-1ｇは同じ部屋を上から見た画像である。表現される対象は空間対象1の建築物の内部である。
【００４０】
図23に実施例18を示す。貼箱本体の外側の立面の画像2-11ｇは、クラゲの入った水槽の画像である。貼箱のフタの平面の画像3-1ｇは同じ水槽を上から見た画像である。表現される対象は物的対象2の動物であるが、水槽とした場合は物的対象1の立体物とも考えられる。
【００４１】
図2４に実施例19の斜視図を示す。貼箱1で表現しようとする対象は、空間対象1の建築物の寺院である。
本実施例は、貼箱本体の外側の立面2-11に図25に示す寺院の正面画像2-11ｇが、貼箱本体の内側の立面に2-14に図25に示す寺院の室内の画像2-14ｇが、貼箱のフタの平面3-1に図25に示す寺院の上空からの外観画像3-1ｇが、貼箱のフタの裏面3-2に図25に示す寺院の対象となる部屋の天井の画像3-2ｇが印刷された薄紙が貼られている。
これにより貼箱1は、寺院の模型同様、新たな価値が与えられた。よってこの箱の販売に当たって、中に入れるものは不要となる。
なお、寺院の正面画像2-11ｇと、寺院の上空からの外観画像3-1ｇは、同じ対象であるが違った視点から撮られたものである。その縮尺は大きく異なるが、対象が別のものと認識されるものではない。
【００４２】
図26に実施例20の斜視図を示す。貼箱1で表現しようとする対象は、空間対象2の都市の街路図である。
貼箱本体の外側の立面2-11に、図27fig.Bに示す都市を西から見た画像の立面画像2-11ｇが、図27fig.Ｃに示す都市を南から見た画像の立面画像2-11ｇが、図27fig.Ｄに示す都市を東から見た画像の立面画像2-11ｇが、貼箱のフタの平面3-1に図27fig.Ａに示す都市を上空から見た画像の3-1ｇが印刷された薄紙が貼られている。
これにより貼箱1は、街の立体案内図としての新たな価値が与えられる。
【００４３】
図28に実施例21の薄紙の画像を示す。本実施例の貼箱1で表現しようとする対象は物的対象1の食費の果物である。
貼箱本体の外側の立面2-11に、立面画像2-11ｇが、貼箱のフタの平面3-1に画像の3-1ｇが、貼箱本体の内側の底面2-2に貼箱本体の底面の画像2-2ｇが印刷された薄紙が貼られている。
立面画像2-11ｇは果物の丸ごとの画像である。平面3-1の画像3-1ｇは、立面画像2-11ｇと同じ対象、同じ縮尺であるが、果物の1つが半分に切られている。貼箱本体の内側の底面2-2に貼箱本体の底面の画像2-2ｇは、立面画像2-11ｇと同じ対象、同じ縮尺であるが、果物全部が半分に切られている。貼箱1は、このような変化を与えられることで、画像の面白みが増し、価値が上げられている。
【００４４】
図29に実施例22を示す。貼箱本体の外側の立面の画像2-11ｇは、降っている雨を表す画像である。貼箱のフタの平面の画像3-1ｇは、降っている雨が水たまりに落ち、波紋を作っている様子を表す画像である。いずれの画像も、雨が降る様子をイメージして描かれたイラストである。
表現される対象はイメージ対象の雨が降る空間である。
【００４５】
図30に実施例23を示す。貼箱本体の外側の立面の画像2-11ｇは、断面がハート型の柱を表す画像である。貼箱のフタの平面の画像3-1ｇは、その柱を上から見たところの画像である。いずれの画像も、想像して描かれたイラストである。
表現される対象はイメージ対象の立体物である。
【産業上の利用可能性】
【００４６】
貼箱を発注する者が、デジタル画像を、メールやインターネットなどの電子的通信手段により、貼箱作製会社などに送信し、貼箱作製会社などはその画像をそのまま、もしくは電子的に加工し、その画像をプリンターなどで印刷した薄紙を作り、厚紙ベースに貼りつける方法で、本発明の貼箱を1品あるいは少量で、発注から完成まで短時間に作ることができる。
1品もしくは少量生産においては、箱を構成するボール紙に直接印刷し組み立てたパッケージと比べ大幅に時間も、手間も少なくてすみ、コストダウンも見込める。
【符号の説明】
【００４７】
1      貼箱
1-1    ヒンジ式のフタを持った貼箱
1-2    貼箱本体2と分離するフタを持った貼箱
2      貼箱本体
2-11    貼箱本体の外側の立面
2-11g    貼箱本体の外側の立面の画像
2-12    貼箱本体外側の正面の立面
2-12g    貼箱本体外側の正面の立面の画像
2-13    貼箱本体外側の側面の立面
2-13g    貼箱本体外側の側面の立面の画像
2-14    貼箱本体の内側の立面
2-14g    貼箱本体の内側の立面の画像
2-2    貼箱本体の内側の底面
2-2g    貼箱本体の底面の画像
2-3    家形の貼箱本体
3      貼箱のフタ
3-1    貼箱のフタの平面
3-1g    貼箱のフタの平面の画像
3-2    貼箱のフタの裏面
3-2g    貼箱のフタの裏面の画像
3-3    貼箱のフタのヒンジ部
3-4    貼箱のフタの補強
3-5    家形の貼箱のフタ
3-51    家形の貼箱のフタの軒先
3-52    家形の貼箱のフタのケラバ
3-53    家形の貼箱のフタの補強
3-6    分離型の貼箱のフタ
3-61    貼箱本体をほぼ覆う大きさの分離型フタ
3-62    分離型の貼箱のフタの平面
3-63    分離型の貼箱のフタの立面
4      貼箱の厚紙ベース
5      貼箱の厚紙ベースに貼る薄紙
6      暖簾の画像
【図１】
2018070208.tif 000003
【図２】
2018070208.tif 000004
【図３】
2018070208.tif 000005
【図４】
2018070208.tif 000006
【図５】
2018070208.tif 000007
【図６】
2018070208.tif 000008
【図７】
2018070208.tif 000009
【図８】
2018070208.tif 000010
【図９】
2018070208.tif 000011
【図１０】
2018070208.tif 000012
【図１１】
2018070208.tif 000013
【図１２】
2018070208.tif 000014
【図１３】
2018070208.tif 000015
【図１４】
2018070208.tif 000016
【図１５】
2018070208.tif 000017
【図１６】
2018070208.tif 000018
【図１７】
2018070208.tif 000019
【図１８】
2018070208.tif 000020
【図１９】
2018070208.tif 000021
【図２０】
2018070208.tif 000022
【図２１】
2018070208.tif 000023
【図２２】
2018070208.tif 000024
【図２３】
2018070208.tif 000025
【図２４】
2018070208.tif 000026
【図２５】
2018070208.tif 000027
【図２６】
2018070208.tif 000028
【図２７】
2018070208.tif 000029
【図２８】
2018070208.tif 000030
【図２９】
2018070208.tif 000031
【図３０】
2018070208.tif 000032